(57)【要約】  本発明は、デジタル撮像用の高開口広角レンズであって、５枚のレンズ、すなわち、左側からである被写体側から見て、第１の負のメニスカス・レンズ１１２と、第２の正のレンズ１１８と、第３の正のレンズ１２６と、第４の負のレンズ１３０と、第５の正のメニスカス・レンズとを有するレンズに関する。前記第２レンズ１１８と第３レンズ１２６との間にはダイアフラム１２２が配設されている。前記ダイアフラムの前方の少なくとも三つの面領域と、前記ダイアフラムの後方の三つの領域は、非球状面として構成されている。ただし、その他の表面も非球状面に構成することも可能である。極めてコンパクトな構造と際立った光学特性により、提案される高開口広角レンズは、ハイブリッドカメラ用の交換レンズとして好適である。
2013536467.tif 000002
【特許請求の範囲】
【請求項１】
デジタル撮像用の広角レンズ（１０２）であって、これは、被写体側（１０４）から見て、定まった順序で、以下の要素を有する、
ａ）第１の負のメニスカス・レンズ素子（１１２）、ここで、前記メニスカス・レンズ素子（１１２）の凸面（１１０）は被写体側（１０４）に面している、
ｂ）第２の正のレンズ素子（１１８）、ここで、前記レンズ素子（１１８）のより曲率の大きな凸面（１１６）は被写体側（１０４）に面している、
ｃ）ダイアフラム（１２２）、
ｄ）第３の正のレンズ素子（１２６）、ここで、前記レンズ素子（１２６）のより曲率の大きな凸面（１２８）は被写体側（１０４）の反対側に面している、
ｅ）第４の負のレンズ素子（１３０）、
ｆ）ここで、前記第３の正のレンズ素子（１２６）と前記第４の負のレンズ素子（１３０）)とは、互いに接合されている、そして、
ｇ）第５の正のメニスカス・レンズ素子（１３６）、ここで、このメニスカス・レンズ素子（１３６）の凸面（１３８）は被写体側（１０４）の反対側に面している、
ｈ）ここで、前記広角レンズ（１０２）は、さらなるレンズ素子を持たない、
ｉ）ここで、前記被写体側に面する前記第２のレンズ素子（１１８）の表面（１１６）は非球状面を有する、
ｊ）ここで、前記ダイアフラムの上流側の前記被写体側の少なくとも三つのレンズ素子面と、前記ダイアフラムの下流側の前記画像側の少なくとも三つのレンズ素子面とは非球状面として構成されている、そして、
ｋ）ここで、前記レンズ素子の材料の屈折率ｎｄとアッベ数ｖｄとは下記の表の条件を満たし、ここで、これらの条件は同時に満たされなければならない、
2013536467.tif 000012
そして、
ｌ）前記第１のレンズ素子の焦点距離は、前記広角レンズ（１０２）の総焦点距離の−１．０〜−１．２倍の範囲の値を有する。
【請求項２】
請求項１に記載の広角レンズ（１０２）であって、
前記第２の正のレンズ素子（１１８）および／又は前記第３の正のレンズ素子（１２６）および／又は前記第４の負のレンズ素子（１３０）は、メニスカス・レンズ素子であることを特徴とする。
【請求項３】
請求項１または２に記載の広角レンズ（１０２）であって、
焦点合わせは、前記レンズ（１０２）全体を光軸に沿ってシフトすることによって可能であり、および／又は、
焦点合わせは、前記ダイアフラム（１２２）と第３の正のレンズ素子（１２６）との間の距離を変化させることによって可能であるように構成されている。
【請求項４】
請求項１から３のいずれか一項に記載の広角レンズ（１０２）であって、
前記第１のレンズ素子の下流側の画像側の空間距離は、前記広角レンズ（１０２）の焦点距離の少なくとも０．６倍であり、そして、
画像側方向での最後のレンズ素子の面（１３８）の下流側の頂点焦点距離は前記広角レンズ（１０２）の総焦点距離の少なくとも１．２５倍であることを特徴とする。
【請求項５】
請求項１から４のいずれか一項に記載の広角レンズ（１０２）であって、
前記第４のレンズ素子は、負のメニスカス・レンズであり、ここで、このレンズ素子の凹面は被写体側に面することを特徴とする。
【請求項６】
請求項１から５のいずれか一項に記載の広角レンズ（１０２）であって、
前記第１のレンズ素子（１１２）は二つの非球状面を有することを特徴とする。    
【請求項７】
請求項１から６のいずれか一項に記載の広角レンズ（１０２）であって、
前記第５のレンズ素子は二つの非球状面を有することを特徴とする。
【請求項８】
請求項１から７のいずれか一項に記載の広角レンズ（１０２）であって、
前記第２のレンズ素子の画像側面は一つの非球状面を有することを特徴とする。
【請求項９】
請求項１から８のいずれか一項に記載の広角レンズ（１０２）であって、
前記第３のレンズ素子の被写体側面は一つの非球状面を有することを特徴とする。
【請求項１０】
請求項１から９のいずれか一項に記載の広角レンズ（１０２）であって、
前記第４のレンズ素子のアッベ数に対する前記第３のレンズ素子のアッベ数の比率は１．５以上の値であることを特徴とする。
【発明の詳細な説明】
【技術分野】
【０００１】
本発明は、写真および工業用のデジタル撮像のための高開口広角レンズに関する。
【背景技術】
【０００２】
デジタルレフレックス・カメラの他に、ミラーを持たないが、画像の質とアクセサリとに関して、特に、特定のタスクのための交換レンズの使用可能性に関してほぼ同等の特性を有するデジタルカメラに対する興味が増大しつつある。
【０００３】
ミラーを無くすることは、システムのためのレフレックス・カメラに対して、主として、サイズ上の有利性をもたらす。ミラーレスカメラのモデルサイズはすでに大型のコンパクトカメラのサイズに近づきつつある。
【０００４】
交換可能なレンズを備えるがミラーは持たないデジタルカメラはしばしばハイブリッドカメラと呼ばれる。とりわけ、そのようなカメラの様々な具体的用途を実現するためには、可能な限りコンパクトな構成を持った交換レンズも必要とされる。
【０００５】
デジタル撮像用の広角レンズは、たとえば、アメリカ特許７，２３９，４５７号公報に記載されている。この広角レンズは、４０°〜５０°の半画角での撮像に適している。それは５枚または６枚のレンズを有し、その第３と第４のレンズとは互いに接合されている。ここに記載されているレンズの用途適合性の一つは、例えば、前方レンズ素子の下流側の光路がプリズムによって９０°偏向されることである。その結果として、それはハイブリッドカメラ用の交換レンズとしては適していない。更に、それはその構造の全長が非常に長い。
【０００６】
例えば、アメリカ特許５，６３１，７８０号公報に記載されているような従来の広角レトロフォーカスレンズは、複数の球状レンズ素子、ここでは、例えば、１０のレンズ素子から構成され、約７０〜１００ｍｍの構造長を有する。非球状面は、例えば、ここでは２つであり、非常に僅かしか使用されていない。
【０００７】
アメリカ特許２００９／０００９８８７号公開公報は、例えば、５枚のレンズ素子のみを有する広角レンズを記載しており、ここでは、被写体側から見て第３と第４のレンズ素子が二重レンズを形成している。この場合、５枚のレンズ素子の内、少なくとも１つが被写体側に非球状面を有し、５枚のレンズ素子の内、少なくとも１つが画像側に非球状面を有している。更に、５枚のレンズ素子の面の内、全部で少なくとも三つの面が非球状面として実施されている。
【０００８】
別の文献（アメリカ特許２００３／０１７４４１０号公開公報）は、４つのレンズ群を構成する同様に５枚のレンズ素子を含む広角レンズ（固定焦点距離を有する）を開示している。ここでも、被写体側から見て第３と第４のレンズ素子が二重レンズを形成している。この二重レンズを除いて、全てのレンズ群は個別のレンズ素子であり、これら個々のレンズ素子のそれぞれが非球状面を有している。
【先行技術文献】
【特許文献】
【０００９】
【特許文献１】アメリカ特許７，２３９，４５７号公報
【特許文献２】アメリカ特許５，６３１，７８０号公報
【特許文献３】アメリカ特許２００９／０００９８８７号公開公報
【特許文献４】アメリカ特許２００３／０１７４４１０号公開公報
【発明の概要】
【発明が解決しようとする課題】
【００１０】
本発明の課題は、非常にコンパクトな構成と非常に良好な画像品質とによって特徴付けられる高開口広角レンズを提供することにある。
【課題を解決するための手段】
【００１１】
この課題は、独立請求項の特徴構成を有する本発明によって達成される。本発明の有利な発展構成は従属請求項に特徴付けられている。ここで、これら全ての請求項の記載は本明細書のコンテクストを参照することによって組み込まれている。
【００１２】
本発明は、デジタル撮像用の広角レンズであって、これは、被写体側から見て、定まった順序で以下の要素を有する、
ａ）第１の負のメニスカス・レンズ素子、ここで、前記メニスカス・レンズ素子の凸面は被写体側に面している、
ｂ）第２の正のレンズ素子、ここで、前記レンズ素子のより曲率の大きな凸面は被写体側に面している、
ｃ）ダイアフラム、
ｄ）第３の正のレンズ素子、ここで、前記レンズ素子のより曲率の大きな凸面は被写体側の反対側に面している、
ｅ）第４の負のレンズ素子、
ｆ）ここで、前記第３の正のレンズ素子と前記第４の負のレンズ素子とは、互いに接合されている、そして、
ｇ）第５の正のメニスカス・レンズ素子、ここで、このメニスカス・レンズ素子の凸面は被写体側の反対側に面している、
ｈ）ここで、前記広角レンズは、さらなるレンズ素子を持たない、
ｉ）ここで、前記被写体側に面する前記第２レンズ素子の表面は非球状面を有する、
ｊ）ここで、前記ダイアフラムの上流側の前記被写体側の少なくとも三つのレンズ素子面と、前記ダイアフラムの下流側の前記画像側の少なくとも三つのレンズ素子面とは非球状面として構成されている、そして、
ｋ）前記レンズ素子の材料の屈折率ｎｄとアッベ数ｖｄとは下記の表の条件を満たし、ここで、これらの条件は同時に満たされなければならない、
2013536467.tif 000003
そして、
ｌ）前記第１レンズ素子の焦点距離は、前記広角レンズの総焦点距離の−１．０〜−１．２倍の範囲の値を有する。
【００１３】
ここで提案した広角レンズは、イメージサークルの直径が３０ｍｍまでの画像センサと共の使用に適している。特に、それらは、ＡＰＳ−Ｃ（ＡｄｖａｎｃｅｄＰｈｏｔｏ Ｓｙｓｔｅｍ Ｃｌａｓｓｉｃ）センサおよびＭｉｃｒｏＦｏｕｒ Ｔｈｉｒｄｓセンサの写真セクタ（ｐｈｏｔｏｇｒａｐｈｉｃ ｓｅｃｔｏｒ）に使用可能である。ＡＰＳ−Ｃのセンササイズは、約２３．６×１５．８ｍｍ（これは３：２のアスペクト比にほぼ対応する）である。
【００１４】
焦点距離１６ｍｍ、Ｆ値２．８および２．２を有する提案したレンズは、イメージサークルの直径が３０ｍｍまでに適している。焦点距離１２ｍｍ、Ｆ値２．４を有するレンズは、イメージサークルの直径が２１．７ｍｍまでに適している。
【００１５】
提案されるレンズの被写体側画角は、８０°以上、特に、８５°である。それよりも遥かに小さな画像側角（チップ平面に入射する主光線角）は最大で２０°であり、これは輝度の損失を回避するためにマイクロレンズ素子を備えるセンサを使用する場合に必要とされる。
【００１６】
最初の４つのレンズ素子のためのより高い屈折率（ｎｄ≧１．８）を有するガラスの種類を選択することによって、非常に良好な補正状態（高い撮像性能に対応する）を維持しながら、きわめてコンパクトな全体システムが達成される。
【００１７】
その極めてコンパクトな構成と、その際立った光学特性とによって、ここに提案される前記高開口広角レンズは、特に、いわゆる「ハイブリッドカメラ」用の交換レンズとして好適である。
【００１８】
前記レンズの一つの有利な発展構成において、前記レンズの、前記第２の正のレンズ素子および／又は前記第３の正のレンズ素子および/又は前記第４の負のレンズ素子は、メニスカス・レンズ素子である。
【００１９】
画像の焦点合わせを、前記レンズ全体を光軸に沿ってシフトして、前記レンズのレンズ素子間の空間距離を一定に維持しつつ、第５のレンズ素子の最後の面と画像センサとの間の距離のみを変化させることによって行うことも有利な構成である。
【００２０】
異なる距離への焦点合わせの方法は、上述したレンズ全体をシフトさせる方法に限定されるものではなく、更に、ダイアフラムの下流側の第１の空間距離、すなわち、ダイアフラムと第３の正のレンズ素子との間の距離、を変化させることによっても可能である。後者の方法は、画像スケールの大きな範囲にわたって最適な撮像性能を得ることを可能にする。
【００２１】
前記第１のレンズ素子の下流側の空間距離は、レンズの焦点距離の少なくとも０．６倍にするべきであり、画像側方向での最後のレンズ素子の面の下流側の頂点焦点距離はレンズの焦点距離の少なくとも１．２５倍にするべきである。
【００２２】
前記第４のレンズ素子を負のメニスカス・レンズ素子とし、このレンズ素子の凹面が被写体側に面するように構成することも好ましい。
【００２３】
前記第１のレンズ素子が二つの非球状面を有するように構成することも好ましい。この構成は歪、非点収差、イメージフィールドの曲率を補正する作用を有する。
【００２４】
前記第５のレンズ素子が二つの非球状面を有することも好ましい構成である。この構成は、フィールド依存画像収差を補正し、被写体側との視野角の比較において、画像側の視野角を減少させる作用を有する。
【００２５】
前記第２のレンズ素子の被写体側面は、好ましくは、球面収差の補正を確実なものにするべく、非球状面として構成される。ｋ＝２．８以上の最大開口（例えば、ｋ＝２．２）を達成するために、画像側面に別の非球状面を設けると有利である。
【００２６】
更に、前記第３のレンズ素子の被写体側面が非球状面を有することも好ましい。この構成は、瞳孔依存画像収差（ｐｕｐｉｌ−ｄｅｐｅｎｄｅｎｔｉｍａｇｅ ａｂｅｒｒａｔｉｏｎｓ）を補正する作用を有する。
【００２７】
更に好適な実施例において、前記第４のレンズ素子のアッベ数に対する前記第３レンズ素子のアッベ数の比率を１．５以上の値にすることも望ましい。
【００２８】
その他の詳細および特徴構成は、従属請求項との関連で好適実施例に関する以下の記載から明らかになるであろう。この場合、これらの特徴構成はそれぞれ単独で、あるいは、互いに組み合わせて実現することが可能である。前記課題の解決の可能性は、これらの実施例に限定されるものではない。例えば、範囲の表示は常に記載されない中間の値と、すべての考え得る部分中間値（ｓｕｂｉｎｔｅｒｖａｌｓ）とを含むものである。
【図面の簡単な説明】
【００２９】
これらの実施例は図面に概略図示されている。ここで、個々の図面における同じ参照番号は同じ、または機能的に同等で、それらの作用において互いに対応する要素を示している。これら図面において、具体的には、
【００３０】
【図１】高開口広角レンズのレンズ素子構成の実施例を備える光学系の概略図である。
【図２】焦点距離１６ｍｍ、Ｆ値ｋ＝２．８の図１の広角レンズのイメージフィールドの曲率のグラフである。
【図３】焦点距離１６ｍｍ、Ｆ値ｋ＝２．８の図１の広角レンズの歪のグラフである。
【図４】焦点距離１６ｍｍ、Ｆ値ｋ＝２．８の図１の広角レンズの側方色収差（ｌａｔｅｒａｌ ｃｈｒｏｍａｔｉｃ ａｂｅｒｒａｔｉｏｎ）のグラフである。
【図５】焦点距離１６ｍｍ、Ｆ値ｋ＝２．８の図１の広角レンズの球面収差のグラフである。
【図６】焦点距離１６ｍｍ、Ｆ値ｋ＝２．２の図１の広角レンズの球面収差のグラフである。
【図７】焦点距離１２ｍｍ、Ｆ値ｋ＝２．４の図１の広角レンズの球面収差のグラフである。
【発明を実施するための形態】
【００３１】
図１に図示の広角レンズの三つの実施例のテクニカルデータが表１から６に示されている。これら表において、具体的には、
【００３２】
表１は、焦点距離１６ｍｍ、Ｆ値ｋ＝２．８の図１の広角レンズの、半径、厚みまたは空間距離、屈折率、およびアッベ数のリストを示している。
【００３３】
表１Ａは、焦点距離１６ｍｍ、Ｆ値ｋ＝２．８の図１の広角レンズの、非球面係数のリストを示している。
【００３４】
表２は、焦点距離１６ｍｍ、Ｆ値ｋ＝２．２の図１の広角レンズの、半径、厚みまたは空間距離、屈折率、およびアッベ数のリストを示している。
【００３５】
表２Ａは、焦点距離１６ｍｍ、Ｆ値ｋ＝２．２の図１の広角レンズの、非球面係数のリストを示している。
【００３６】
表３は、焦点距離１２ｍｍ、Ｆ値ｋ＝２．４の図１の広角レンズの、半径、厚みまたは空間距離、屈折率、およびアッベ数のリストを示している。
【００３７】
表３Ａは、焦点距離１２ｍｍ、Ｆ値ｋ＝２．４の図１の広角レンズの、非球面係数のリストを示している。
【００３８】
そのレンズ素子構成が図１に図示されている実施例は、提案されるコンパクトな高開口広角レンズの基本的構造を概略図示している。ここに記載されるすべての実施例は同じ基本構造を有するが、それらの焦点距離およびＦ値において互いに異なっている。
【００３９】
図１に概略図示されている光学系１００の実施例において、レンズは、１６ｍｍの焦点距離とｋ＝２．８のＦ値を有する高開口広角レンズ１０２である。図１の図示において、被写体側１０４は左側に、そしてデジタル取得センサ１０８を備える画像側１０６は右側にそれぞれ位置する。
【００４０】
図１に図示される広角レンズ１０２は、被写体側１０４から画像側１０６、または、画像取得センサ１０８へ、すなわち、左側から右側への順番に以下の要素から構成される。
【００４１】
ａ）第１の負のメニスカス・レンズ素子１１２。ここで、前記メニスカス・レンズ素子１１２の凸面１１０は被写体側１０４に面する。
ｂ）第２の正のレンズ素子１１８。ここで、前記レンズ素子１１８のより曲率の大きな面１１６は被写体側１０４に面する。
ｃ）ダイアフラム１２２。
ｄ）第３の正のレンズ素子１２６。ここで、このレンズ素子１２６のより曲率の大きな面１２８は被写体側１０４の反対側に面する。
ｆ）第４の負のレンズ素子１３０。
ｇ）第５の正のメニスカス・レンズ素子１３６。ここで、前記メニスカス・レンズ素子１３６の凸面１３８は被写体側１０４に面する。
【００４２】
前記第３のレンズ素子１２６と第４のレンズ素子１３０とは互いに接合されて二重レンズを形成している。
【００４３】
画像側において、前記広角レンズ１０２の最後のレンズ素子１３６の下流側にはガラス経路（ｇｌａｓｓｐａｔｈ）１４２が設けられている。一般に、赤外線カットフィルタおよび／又は光学ローパスフィルタとセンサカバーガラスとが使用される。総厚みは、製造業者に依存するが、０．６ｍｍ〜３ｍｍの範囲である。
【００４４】
図１からの前記基本構造による実施例として、下記の光学特性を有する三つの広角レンズ１０２が提示される。
【００４５】
〔実施例１〕
焦点距離  １６ｍｍ
Ｆ値  ｋ＝２．８
【００４６】
〔実施例２〕
焦点距離  １６ｍｍ
Ｆ値  ｋ＝２．２
【００４７】
〔実施例３〕
焦点距離  １２ｍｍ
Ｆ値  ｋ＝２．４
【００４８】
前記三つの実施例の光学素子の個々の面に関する正確な仕様は、それぞれの関連する参照番号と共に、表１〜表３に見られる。
【００４９】
これら三つの実施例の半径、厚みまたは空間距離、屈折率、およびアッベ数のリストが表１，２および３に示されている。
【００５０】
実施例として提示される前記三つの広角レンズの非球状面として実施されるレンズ素子面の非球面データが表１Ａ，２Ａおよび３Ａにリストされている。
【００５１】
非球状面レンズ素子の表面は、一般に下記の式によって表すことができる。
【数１】
2013536467.tif 000004
ここで、
ｚは光軸の方向視におけるサジタル（単位ｍｍ）。
ｃはいわゆる頂点曲率（ｖｅｒｔｅｘ ｃｕｒｖａｔｕｒｅ）を示している。これは、凸または凹レンズ素子表面の曲率を表し、半径の逆数から計算される。
ｒは光軸からの距離（単位ｍｍ）示し、ｒは動径座標である。
ｋはいわゆるコーニック定数を示している。
ａ１，ａ２，ａ３，ａ４，ａ５およびａ６はいわゆる非球面係数を表し、これらは、非球状面の表面を表す関数の多項式展開の係数である。
【００５２】
焦点合せ中において、レンズ全体をシフトさせる以外に、更に浮動焦点合わせ（ｆｌｏａｔｉｎｇｆｏｃｕｓｉｎｇ）を行うと好適である。浮動焦点合わせ中、ダイアフラムの下流側の第１空間（ａｉｒ ｓｐａｃｅ）は減少する。もっとも近い設定の浮動焦点合わせ中（β’=０．１、被写体からの距離=１７０ｍｍ）、下記の値となる。
2013536467.tif 000005
【００５３】
図２〜７は、図１に対応する基本構造による前記三つの実施例の広角レンズ１０２のいくつかの特性変数をグラフ的に図示している。
【００５４】
図２は、焦点距離１６ｍｍ、Ｆ値ｋ＝２．８の図１の広角レンズ１０２の画像視野（ｉｍａｇｅｆｉｅｌｄ）の曲率をグラフ的に示している。曲線２０２は、接線画像シェル（ｔａｎｇｅｎｔｉａｌ ｉｍａｇｅ ｓｈｅｌｌ）のプロファイル（ｐｒｏｆｉｌｅ）を示し、他方、曲線２０４はサジタル画像シェル（ｓａｇｉｔｔａｌｉｍａｇｅ ｓｈａｅｌｌ）のプロファイルを示している。この場合、横軸（ｘ軸）は光軸に沿う長手焦点はずれ（ｄｅｆｏｃｕｓｉｎｇ）を示している。縦軸（ｙ軸）は、０°視野角（ｆｉｅｌｄａｎｇｌｅ）から最大視野角までの視野座標（ｆｉｅｌｄ ｃｏｏｒｄｉｎａｔｅ）を含んでいる。
【００５５】
図３には、焦点距離１６ｍｍ、Ｆ値ｋ＝２．８の図１の広角レンズ１０２の歪３００のグラフ的な図示が示されている。この場合、横軸（ｘ軸）は−５％〜＋５％の範囲の歪の百分率を示し、縦軸（ｙ軸）の値は、０°視野角から最大視野角までの視角に対応している。曲線３０２は、最大視野角までの視野角に対する歪のプロファイルを表している。歪は常に３％以下である。
【００５６】
図４は、焦点距離１６ｍｍ、Ｆ値ｋ＝２．８の図１の広角レンズ１０２の側方色収差をグラフ的に再現している。この場合、横軸（ｘ軸）は、マイクロメートル単位でのλ=５４６．０７４ｎｍの参照セントロイド光線（ｃｅｎｔｒｏｉｄ ｒａｙ）からのセントロイド光線の偏差を示している。縦軸（ｙ軸）は、０°視野角から最大視角までの視野座標を示している。曲線４０２は、横軸（ｘ軸）は、視野座標に対するλ=６４３．８４６９ｎｍの参照セントロイド光線からのセントロイド光線の偏差のプロファイルを示し、他方、曲線４０４は、視野座標に対するλ=４８６．１３２７ｎｍの参照セントロイド光線からのセントロイド光線の偏差のプロファイルを示している。
【００５７】
図５には、焦点距離１６ｍｍ、Ｆ値ｋ＝２．８を有する広角レンズ１０２の球面収差５００のグラフ的な図示が示されており、図６は焦点距離１６ｍｍ、Ｆ値ｋ＝２．２を有する広角レンズ１０２の球面収差６００のグラフ的な図示を示し、図７は焦点距離１６ｍｍ、Ｆ値ｋ＝２．２を有する広角レンズ１０２の球面収差７００を図示している。各ケースにおけるこれらの図面中の横軸（ｘ軸）は光軸に沿った長手方向焦点はずれを示し、各ケースにおける縦軸（ｙ軸）はレンズの入射瞳（ｅｎｔｒａｎｃｅｃｐｕｐｉｌ）の半径を示している。各ケースの図面は、入射瞳に対する異なる入射高さでの軸心開口光線の長手方向変位を示し、プロファイル曲線５０２，６０２，７０２は、各ケースにおいて、波長λ=５４６．０７４ｎｍ（主色（ｐｒｉｎｃｉｐａｌ ｃｏｌｏｒ））で計算された。
【００５８】
すでに述べたものの以外の焦点距離および／又はＦ値、全ての関連する寸法仕様、例えば、半径、空間距離は、原則的に変更可能である。これによって、記載した三つの実施例のみならず、同じタイプではあるが、焦点距離が異なる全ての一連のレンズを実現可能である。したがって、これらの広角レンズは様々な用途に利用することができる。
【００５９】
【表１】
2013536467.tif 000006
【００６０】
【表１Ａ】
2013536467.tif 000007
【００６１】
【表２】
2013536467.tif 000008
【００６２】
【表２Ａ】
2013536467.tif 000009
【００６３】
【表３】
2013536467.tif 000010
【００６４】
【表３Ａ】
2013536467.tif 000011
【符号の説明】
【００６５】
１００：光学系
１０２：広角レンズ
１０４：被写体側
１０６：画像側
１０８：画像センサ
１１０：レンズ素子１１２の第１面
１１２：第１のレンズ素子
１１４：レンズ素子１１２の第２面
１１６：レンズ素子１１８の第１面
１１８：第２のレンズ素子
１２０：レンズ素子１１８の第２面
１２２：ダイアフラム
１２４：レンズ素子１２６の第１面
１２６：第３のレンズ素子
１２８：レンズ素子１２６の第２面／レンズ素子１３０の第１面
１３０：第４のレンズ素子
１３２：レンズ素子１３０の第２面
１３４：レンズ素子１３６の第１面
１３６：第５のレンズ素子
１３８：レンズ素子１３６の第２面
１４０：透明プレート１４２の第１面
１４２：透明プレート
１４４：透明プレート１４２の第２面
２００：広角レンズ（焦点距離１６ｍｍ，Ｆ値 ｋ＝２．８）の画像視野の曲率のグラフ図示
２０２：接線画像シェルの曲線プロファイル
２０４：サジタル画像シェルの曲線プロファイル
３００：広角レンズ（焦点距離１６ｍｍ，Ｆ値 ｋ＝２．８）の歪のグラフ図示
３０２：視野角に対する歪の曲線プロファイル
４００：広角レンズ（焦点距離１６ｍｍ，Ｆ値 ｋ＝２．８）の側方色収差のグラフ図示
４０２：側方色収差の曲線プロファイル（視野座標に対するλ=６４３．８４６９ｎｍの参照セントロイド光線からのセントロイド光線の偏差）
４０４：側方色収差の曲線プロファイル（視野座標に対するλ=４８６．１３２７ｎｍの参照セントロイド光線からのセントロイド光線の偏差）
５００：広角レンズ（焦点距離１６ｍｍ，Ｆ値 ｋ＝２．８）の球面収差のグラフ図示
５０２：入射瞳での異なる入射高さでの軸心開口光線の長手方向変位の曲線プロファイル
６００：広角レンズ（焦点距離１６ｍｍ，Ｆ値 ｋ＝２．２）の球面収差のグラフ図示
６０２：入射瞳での異なる入射高さでの軸心開口光線の長手方向変位の曲線プロファイル
７００：広角レンズ（焦点距離１２ｍｍ，Ｆ値 ｋ＝２．４）の球面収差のグラフ図示
７０２：入射瞳での異なる入射高さでの軸心開口光線の長手方向変位の曲線プロファイル
【図１】
2013536467.tif 000013
【図２】
2013536467.tif 000014
【図３】
2013536467.tif 000015
【図４】
2013536467.tif 000016
【図５】
2013536467.tif 000017
【図６】
2013536467.tif 000018
【図７】
2013536467.tif 000019
【国際調査報告】
2013536467.tif 000020
2013536467.tif 000021
2013536467.tif 000022
2013536467.tif 000023